(57)【要約】【課題】  部品に関する情報を管理し、設計担当者が適切な部品を効率的に選択することができる設計情報管理装置、設計情報管理方法及び設計情報管理プログラムを提供する。【解決手段】  使用する部品の指定指示を受信した部品管理サーバ２０の管理コンピュータ２１は、指定指示に含まれる部品番号に基づいてメカ部品情報マスタデータを抽出する。そして、管理コンピュータ２１は、ステータスフラグにより禁止部品かどうかの確認し、禁止部品について警告表示を付加する。次に、管理コンピュータ２１は、部品構成データ記憶部２３を用いてこの部品の子部品の検索し、再度、管理コンピュータ２１は、構成部品の備品情報を取得する。これを繰り返すことにより、最上位部品番号から全部品の属性を確認し、適切な部品の使用の促進を図る。【選択図】      図１
2006235834.tif 000002
【特許請求の範囲】
【請求項１】
上位及び下位の要素識別子を関連付けて記録した部品構成データ記憶手段と、
前記要素識別子毎に、この要素に関する属性情報を記録した部品情報データ記憶手段とを備え、設計担当者端末と接続可能な設計情報管理装置であって、
前記設計情報管理装置が、
前記設計担当者端末から受信した使用希望要素の要素識別子について、前記部品情報データ記憶手段から属性情報を特定する属性特定手段と、
前記使用希望の要素識別子に関連付けられた下位の要素識別子を、前記部品構成データ記憶手段を用いて検索する下位要素検索手段と、
下位要素を特定できた場合には、この下位要素の属性情報を特定する属性特定処理を実行する下位属性特定処理手段と、
前記下位要素検索手段において下位要素を抽出できなくなるまで、前記属性特定処理を実行し、特定された属性情報に基づいて前記使用希望要素の評価を出力する出力手段と
を備えたことを特徴とする設計情報管理装置。
【請求項２】
前記属性情報は、使用禁止に関する情報であり、
前記下位属性特定処理手段が、使用禁止に関する情報を特定した場合には、前記出力手段が、使用希望の要素の使用について警告を出力することを特徴とする請求項１に記載の設計情報管理装置。
【請求項３】
前記属性情報は、更に代替要素に関する情報を含み、
前記下位属性特定処理手段が、代替要素に関する情報を特定した場合には、前記出力手段が、使用希望の要素の使用について代替要素に関する情報を出力することを特徴とする請求項２に記載の設計情報管理装置。
【請求項４】
前記設計情報管理装置は、設計された要素の要素識別子と要素名称とを関連付けて記録した要素データ記憶手段と、
審査対象要素についての要素名称に関するデータを記録した名称データ記憶手段とを備え、
前記要素データ記憶手段に新たな要素が登録された場合、前記要素の要素名称を前記要素データ記憶手段を用いて特定し、
前記要素名称が、審査対象要素として、前記名称データ記憶手段に記録されている場合には、前記部品情報データ記憶手段に属性情報の記録を促すことを特徴とする請求項１〜３のいずれか１つに記載の設計情報管理装置。
【請求項５】
上位及び下位の要素識別子を関連付けて記録した部品構成データ記憶手段と、
前記要素識別子毎に、この要素に関する属性情報を記録した部品情報データ記憶手段とを備え、設計担当者端末と接続可能な設計情報管理装置を用いて設計情報を管理する方法であって、
前記設計情報管理装置が、
前記設計担当者端末から受信した使用希望要素の要素識別子について、前記部品情報データ記憶手段から属性情報を特定する属性特定段階と、
前記使用希望の要素識別子に関連付けられた下位の要素識別子を、前記部品構成データ記憶手段を用いて検索する下位要素検索段階と、
下位要素を特定できた場合には、この下位要素の属性情報を特定する属性特定処理を実行する下位属性特定処理段階と、
前記下位要素検索段階において下位要素を抽出できなくなるまで、前記属性特定処理を実行し、特定された属性情報に基づいて前記使用希望要素の評価を出力する出力段階と
を実行することを特徴とする設計情報管理方法。
【請求項６】
上位及び下位の要素識別子を関連付けて記録した部品構成データ記憶手段と、
前記要素識別子毎に、この要素に関する属性情報を記録した部品情報データ記憶手段とを備え、設計担当者端末と接続可能な設計情報管理装置を用いて設計情報を管理するプログラムであって、
前記設計情報管理装置を、
前記設計担当者端末から受信した使用希望要素の要素識別子について、前記部品情報データ記憶手段から属性情報を特定する属性特定手段と、
前記使用希望の要素識別子に関連付けられた下位の要素識別子を、前記部品構成データ記憶手段を用いて検索する下位要素検索手段と、
下位要素を特定できた場合には、この下位要素の属性情報を特定する属性特定処理を実行する下位属性特定処理手段と、
前記下位要素検索手段において下位要素を抽出できなくなるまで、前記属性特定処理を実行し、特定された属性情報に基づいて前記使用希望要素の評価を出力する出力手段
として機能させることを特徴とする設計情報管理プログラム。
【発明の詳細な説明】
【技術分野】
【０００１】
本発明は、部品に関する情報を管理し、各種部品を用いた設計を支援する設計情報管理装置、設計情報管理方法及び設計情報管理プログラムに関する。
【背景技術】
【０００２】
今日、様々な製品を開発・製造する段階で、大量の部品が使用される。各部品は、頻繁にその性能や価格が改変されるが、部品情報の管理を部門毎などに分散すると、情報の更新が重複して行われ、また、更新漏れが発生する等、部品情報の管理の効率が悪い。そこで、事業体として部品に関する情報を一括して管理し、設計者や製造者が良質の部品を容易に選択することができる部品管理システムが提案されている（例えば、特許文献１参照。）。この部品管理システムでは、一定の基準に基づいて購入対象として認定された部品に関する部品データを登録する部品データベースを備える。そして、部品供給者から、部品に関する情報を電子メールの形式で受信し、受信した情報を部品選定の担当者に提供する。提供された情報に基づいた認定処理の結果に基づいて、部品の部品データベースを更新する。そして、設計端末において、データベースに登録されている部品の中から、設計のために任意の部品を選定する。この登録部品の中から部品を選択することにより、良質の部品を容易に選定することができる。また、部品情報取得手段が部品供給元等から提供される情報を取得し、この情報に基づいて部品データ更新手段が部品データベースを更新する。従って、設計担当者等は、個別に対応しなくても、改廃に応じた部品の選択が可能となる。
【０００３】
また、低コストで高品質の部品を安定的に調達するための部品管理システムも開示されている（例えば、特許文献２参照。）。この部品管理システムは、一定の基準に基づいて審査された部品について、審査結果を含む部品データを登録する部品データベースを備える。部品データベースに登録されている部品データを最新の情報に維持するために、部品データベースを更新する更新手段を備える。良い部品を集約してＤＢ化して、このＤＢを維持する仕組みを構築したことにより、低コストで高品質の部品を安定的に調達することができる。また、常に、最適な部品が認定され、認定された部品内から使用する部品を選定するので、常に最適な部品を使用することができる。
【０００４】
更に、常に最適な部品の使用を促進する部品管理システムも開示されている（例えば、特許文献３参照。）。この部品管理システムでは、部品を認定するための認定基準を記憶する基準記憶手段と、前記基準記憶手段に記憶されている認定基準に基づいて審査された部品について、審査結果を含む部品データを登録する部品データベースを備える。更に部品に関する情報を取得する部品情報取得手段を備える。そして、部品情報取得手段により取得した部品情報と基準記憶手段に記憶されている認定基準を審査員に提示する。審査員により入力された審査の結果に従って、部品データベースに登録されている部品データを更新する部品データ更新手段を備える。
【特許文献１】特開２００２−９９５９１号公報（第１頁）
【特許文献２】特開２００３−１５０６０７号公報（第１頁）
【特許文献３】特開２００３−１７８１１３号公報（第１頁）
【発明の開示】
【発明が解決しようとする課題】
【０００５】
しかし、システムが大きくなると、その中に多様なユニットや部品が利用されている。場合によっては、数万〜数十万点を越える部品から構成されているものもある。また、これの部品は、それぞれ関連性があり、相互関係を考慮した管理が必要である。これらの部
品を毎回設計する訳ではなく、マイナーチェンジ等、部分的な変更を行なう場合もある。このような場合には、過去の設計を活かしながら構成を変更する。しかし、相互に関係がある部品が適切に管理されていなければ、禁止部品や不適切な部品がユニットや製品の中に紛れ込む可能性がある。
【０００６】
本発明は、上記課題を解決するためになされたものであり、その目的は、部品に関する情報を管理し、設計担当者が適切な部品を効率的に選択することができる設計情報管理装置、設計情報管理方法及び設計情報管理プログラムを提供することにある。
【課題を解決するための手段】
【０００７】
上記問題点を解決するために、請求項１に記載の発明は、上位及び下位の要素識別子を関連付けて記録した部品構成データ記憶手段と、前記要素識別子毎に、この要素に関する属性情報を記録した部品情報データ記憶手段とを備え、設計担当者端末と接続可能な設計情報管理装置であって、前記設計情報管理装置が、前記設計担当者端末から受信した使用希望要素の要素識別子について、前記部品情報データ記憶手段から属性情報を特定する属性特定手段と、前記使用希望の要素識別子に関連付けられた下位の要素識別子を、前記部品構成データ記憶手段を用いて検索する下位要素検索手段と、下位要素を特定できた場合には、この下位要素の属性情報を特定する属性特定処理を実行する下位属性特定処理手段と、前記下位要素検索手段において下位要素を抽出できなくなるまで、前記属性特定処理を実行し、特定された属性情報に基づいて前記使用希望要素の評価を出力する出力手段とを備えたことを要旨とする。
【０００８】
請求項２に記載の発明は、請求項１に記載の設計情報管理装置において、前記属性情報は、使用禁止に関する情報であり、前記下位属性特定処理手段が、使用禁止に関する情報を特定した場合には、前記出力手段が、使用希望の要素の使用について警告を出力することを要旨とする。
【０００９】
請求項３に記載の発明は、請求項２に記載の設計情報管理装置において、前記属性情報は、更に代替要素に関する情報を含み、前記下位属性特定処理手段が、代替要素に関する情報を特定した場合には、前記出力手段が、使用希望の要素の使用について代替要素に関する情報を出力することを要旨とする。
【００１０】
請求項４に記載の発明は、請求項１〜３のいずれか１つに記載の設計情報管理装置において、前記設計情報管理装置は、設計された要素の要素識別子と要素名称とを関連付けて記録した要素データ記憶手段と、審査対象要素についての要素名称に関するデータを記録した名称データ記憶手段とを備え、前記要素データ記憶手段に新たな要素が登録された場合、前記要素の要素名称を前記要素データ記憶手段を用いて特定し、前記要素名称が、審査対象要素として、前記名称データ記憶手段に記録されている場合には、前記部品情報データ記憶手段に属性情報の記録を促すことを要旨とする。
【００１１】
請求項５に記載の発明は、上位及び下位の要素識別子を関連付けて記録した部品構成データ記憶手段と、前記要素識別子毎に、この要素に関する属性情報を記録した部品情報データ記憶手段とを備え、設計担当者端末と接続可能な設計情報管理装置を用いて設計情報を管理する方法であって、前記設計情報管理装置が、前記設計担当者端末から受信した使用希望要素の要素識別子について、前記部品情報データ記憶手段から属性情報を特定する属性特定段階と、前記使用希望の要素識別子に関連付けられた下位の要素識別子を、前記部品構成データ記憶手段を用いて検索する下位要素検索段階と、下位要素を特定できた場合には、この下位要素の属性情報を特定する属性特定処理を実行する下位属性特定処理段階と、前記下位要素検索段階において下位要素を抽出できなくなるまで、前記属性特定処理を実行し、特定された属性情報に基づいて前記使用希望要素の評価を出力する出力段階
とを実行することを要旨とする。
【００１２】
請求項６に記載の発明は、上位及び下位の要素識別子を関連付けて記録した部品構成データ記憶手段と、前記要素識別子毎に、この要素に関する属性情報を記録した部品情報データ記憶手段とを備え、設計担当者端末と接続可能な設計情報管理装置を用いて設計情報を管理するプログラムであって、前記設計情報管理装置を、前記設計担当者端末から受信した使用希望要素の要素識別子について、前記部品情報データ記憶手段から属性情報を特定する属性特定手段と、前記使用希望の要素識別子に関連付けられた下位の要素識別子を、前記部品構成データ記憶手段を用いて検索する下位要素検索手段と、下位要素を特定できた場合には、この下位要素の属性情報を特定する属性特定処理を実行する下位属性特定処理手段と、前記下位要素検索手段において下位要素を抽出できなくなるまで、前記属性特定処理を実行し、特定された属性情報に基づいて前記使用希望要素の評価を出力する出力手段として機能させることを要旨とする。
【００１３】
（作用）
本発明によれば、部品構成データ記憶手段を用いて、使用希望要素について下位要素を特定し、部品情報データ記憶手段に記録された属性情報を用いて、前記使用希望要素の評価を出力する。製品を構成する部品等の要素においては、複数の要素が集まって新たな要素を構成し、このような要素が集まって更に上位の要素を構成する。このような場合でも、設計情報管理装置は下位要素まで属性情報を調べて、使用希望要素の評価を出力するので、的確な評価を行なうことができる。
【００１４】
本発明によれば、属性情報は、使用禁止に関する情報であり、前記下位属性特定処理手段が、使用禁止に関する情報を特定した場合には、前記出力手段が、使用希望の要素の使用について警告を出力する。このため、使用禁止の部品を把握し、このような部品の混入を抑制することができる。
【００１５】
本発明によれば、設計情報管理装置は、図面識別子に対してプレビューデータを格納する。このため、効率的にプレビューデータを提供することができる。従って、設計担当者は利用環境に応じて、効率的に図面内容を把握することができる。
本発明によれば、更に代替要素に関する情報を含み、前記下位属性特定処理手段が、代替要素に関する情報を特定した場合には、前記出力手段が、使用希望の要素の使用について代替要素に関する情報を出力する。このため、使用禁止であっても、代替要素で代用することができる。
【００１６】
本発明によれば、名称データ記憶手段には審査対象要素についての要素名称に関するデータを記録する。このため、設計された要素の名称に基づいて審査対象を特定でき、的確な属性情報の登録を促すことができる。
【発明の効果】
【００１７】
本発明によれば、部品に関する情報を管理し、設計担当者が適切な部品を効率的に選択することができる設計情報管理装置、設計情報管理方法及び設計情報管理プログラムを提供する。
【発明を実施するための最良の形態】
【００１８】
以下、本発明を具体化した一実施形態を、図１〜図１０を用いて説明する。本実施形態では、設計された図面の管理を行なうと共に、この製品を構成する要素としてのユニットや部品に関しての属性情報を用いて適切な設計を実施するための設計情報管理装置、設計情報管理方法及び設計情報管理プログラムとして説明する。
【００１９】
図１に示すように、設計担当者用端末１０が、ネットワークを介して部品管理サーバ２０に接続されている。この部品管理サーバ２０が設計情報管理装置として機能する。
設計担当者用端末１０は、設計担当者が利用するコンピュータ端末であり、制御手段（ＣＰＵ）、記憶手段（ＲＡＭ、ＲＯＭ等）、通信手段等を有し、後述する手段として機能する。
【００２０】
この設計担当者用端末１０に接続された部品管理サーバ２０は、設計担当者が設計の際に利用するコンピュータサーバである。この部品管理サーバ２０は、管理コンピュータ２１を備える。管理コンピュータ２１は、図示しない制御手段（ＣＰＵ）、記憶手段（ＲＡＭ、ＲＯＭ等）、通信手段等を備える。そして、後述する手段として機能する。
【００２１】
この部品管理サーバ２０は、後述する処理（属性特定段階、下位要素検索段階、下位属性特定処理段階、出力段階等を含む処理）を行なう。このための設計情報管理プログラムを実行することにより、管理コンピュータ２１は、特許請求の範囲に記載の属性特定手段、下位要素検索手段、下位属性特定処理手段、出力段階手段等として機能する。
【００２２】
ここで、属性特定手段は、設計担当者用端末１０から受信した使用希望要素の要素識別子についての属性情報を特定する機能を実現する。下位要素検索手段は、使用希望の要素識別子に関連付けられた下位の要素識別子を、後述する部品構成データ記憶手段を用いて検索する機能を実現する。下位属性特定処理手段は、特定した下位要素の属性情報を特定する機能を実現する。出力手段は、下位要素を抽出できなくなるまで、属性特定処理を実行し、特定された属性情報に基づいて前記使用希望要素の評価を出力する機能を実現する。
【００２３】
この部品管理サーバ２０は、要素データ記憶手段としての部品識別子データ記憶部２２、部品構成データ記憶手段としての部品構成データ記憶部２３、図面データベース記憶部２４、名称データ記憶手段としての名称マスタ記憶部２５及び部品情報データ記憶手段としてのメカ部品情報マスタ記憶部２６を備える。
【００２４】
この部品識別子データ記憶部２２には、部品を特定する識別子を管理するための部品識別子データ２２０が格納されている。この部品識別子データ２２０は、新たな部品が登録された場合に記録される。図２に示すように、部品識別子データ２２０は、部品識別子、部品名称、登録日時及び作成者に関するデータを含んで構成される。
【００２５】
部品識別子データ領域には、各部品を識別するためにユニークに割り振られた識別子に関するデータが記録される。ここでは、部品毎に異なる部品番号を用いる。
部品名称データ領域には、この部品の名称に関するデータが記録される。この部品名称は、後述する名称マスタ記憶部２５に登録されている名称を組み合わせて作成する。
登録日時データ領域には、この部品が登録された日時に関するデータが記録される。
作成者データ領域には、この部品を設計した作成者に関するデータが記録される。
【００２６】
この部品構成データ記憶部２３には、図３に示すように、各構成要素の関係を管理するための部品構成データ２３０が格納されている。この部品構成データ２３０は、設計担当者が設計担当者用端末１０を用いて製品、ユニット、部品等の構成関係が登録された場合に記録される。部品構成データ２３０は、上位の要素識別子としての親部品識別子、下位の要素識別子としての子部品識別子に関するデータを含んで構成される。ここで、子要素とは親要素を構成する部材である。製品を親要素とした場合、子要素には、その製品を構成するユニットや部品がある。また、ユニットを親要素とした場合、子要素には、そのユニットを構成する部品がある。親要素識別子や子要素識別子は、それぞれの要素（部品）を特定するための識別子である。
【００２７】
例えば、「黒ペン」という製品を設計した場合、部品識別子データ２２０と部品構成データ２３０を用いることにより、図４に示す階層構造２００を生成することができる。ここでは、親部品としての「１０００  黒ペン」に対して、子部品として「１００１  キャップ」と「１００２  本体」とにそれぞれ関連付けられた部品構成データ２３０が記録される。更に、親部品としての「１００２  本体」に対して、子部品として「１００３  ペン軸」、「１００４  インク黒」、「１００５  容器」とにそれぞれ関連付けられた部品構成データ２３０が記録される。
【００２８】
図面データベース記憶部２４には、図５に示すように、作製された設計図面に関する図面管理データ２４０が格納されている。この図面管理データ２４０は、作製された図面が登録された場合に記録される。図面管理データ２４０は、図面識別子と図面に関するデータを含んで構成される。
【００２９】
部品識別子データ領域には、各部品を識別するためにユニークに割り振られた識別子に関するデータが記録される。ここでは、部品毎に異なる部品番号を用いる。
図面データ領域には、この部品を設計した図面に関するデータが記録される。ＣＡＤ（Computer Aided Design ）ツールで部品の設計図を作成する際には、設計属性情報として部品識別子と部品名称が図面に記載される。
【００３０】
名称マスタ記憶部２５には、図６に示すように、設計する部品に付与する名称を決定する場合に用いる名称データ２５０が格納されている。この名称データ２５０は、部品に対して付与可能な名称が登録された場合に記録される。名称データ２５０は、部品に利用可能な名称に関するデータを含んで構成される。具体的に、名称データ２５０は、名称と審査対象フラグに関するデータが相互に関連付けられて記録されている。
【００３１】
名称データ領域には、設計部品の名称として使用可能な候補に関するデータが記録される。
審査対象フラグデータ領域には、この名称に関する部品が認定審査対象かどうかを識別するためのフラグに関するデータが記録されている。
【００３２】
メカ部品情報マスタ記憶部２６には、図７に示すように、設計において利用する部品の属性に関するメカ部品情報マスタデータ２６０が格納されている。このメカ部品情報マスタデータ２６０は、部品が設計された場合に登録され、その後、認定審査や改編によって更新される。図５に示すように、メカ部品情報マスタデータ２６０は、部品識別子、名称、ステータスフラグ、コメント、代替品情報に関するデータを含んで構成される。ここで、ステータスフラグ、コメント、代替品情報が属性情報に相当する。
【００３３】
部品識別子データ領域には、各部品を識別するためにユニークに割り振られた識別子に関するデータが記録される。
名称データ領域には、設計担当者が、設計した部品に付与した名称に関するデータが記録される。
【００３４】
ステータスフラグデータ領域には、この部品の利用状況を示すフラグに関するデータが記録される。このステータスフラグには、「推奨」フラグ、「禁止」フラグ、「廃止」フラグ、「限定」フラグ等がある。この「推奨」フラグは部品を積極的に進めることを示す。例えば、部品の発注や購入に要するコストを抑えることができる部品に対して付与される。「禁止」フラグは使用ができないことを示す。例えば、類似部品が重複登録された部品に付与される。「廃止」フラグは生産が中止又は終了したことを示す。「限定」フラグは、入手が容易ではない等の成約条件はあるが選定できることを示す。なお、審査が行な
われていない場合には、「未審査」フラグが記録される。
【００３５】
コメントデータ領域には、この部品に関するコメントに関するデータが記録される。具体的には、この部品が禁止品になった理由等が記載される。
代替品情報データ領域には、この部品を利用できない場合や、同質の部品であって他に推奨部品がある場合には、代替品に関する情報が記録される。
【００３６】
部品管理サーバ２０には、ネットワークを介して認定審査担当者用端末３０が接続されている。認定審査担当者は、後述するように、認定審査担当者用端末３０を用いて新たに登録された部品を審査し、認定を行なう。例えば、部品調達ルールに反する禁止部品の場合には、「禁止」フラグをメカ部品情報マスタデータ２６０に記録する。この場合、この理由をコメントとして記録する。他に同等部品があり、その部品が推奨部品である場合には、それを代替部品情報としてメカ部品情報マスタデータ２６０に記録する。
【００３７】
次に、上記のようなシステムを用いて、新たな設計を行なう場合の処理手順を説明する。ここでは、部品確認処理（図８）、認定審査処理（図９）、リリースチェック処理（図１０）に分けて説明する。
【００３８】
（部品確認処理）
設計担当者が、設計担当者用端末１０を用いて、製品の設計を行なう場合を想定する。設計担当者は、設計の過程で、部品管理サーバ２０を参照して、自己の必要とする特性を有する部品を、認定済みの部品の中から選択する。そして、部品を選択しながら設計に用いる部品の確認処理を実行する。
【００３９】
設計担当者は、所望の部品を選択する場合、設計担当者用端末１０から部品管理サーバ２０にアクセスする。そして、設計担当者用端末１０と部品管理サーバ２０との間で、所定のログイン処理を行なう。ログインが成立すると、設計担当者は、設計担当者用端末１０を用いて、検索画面を表示させて、キーワード、条件式などを入力し、検索を指示する。設計担当者用端末１０は指示に応答し、入力されたデータを部品管理サーバ２０に送信する。
【００４０】
部品管理サーバ２０の検索機能部は、受信したキーワードや条件式などから部品識別子データ記憶部２２から、所望の部品を検索する。そして、抽出した情報を設計担当者用端末１０に返信する。設計担当者用端末１０は、受信した情報をブラウザに表示する。このようにして、設計担当者は、予め登録された部品群の内から自己の必要とする仕様の部品を抽出することができる。
【００４１】
ここでは、設計担当者は、設計担当者用端末１０を用いて、今回の設計に用いる部品の中で、使用希望要素の要素識別子としての最上位部品番号の指定を行なう。そして、選択指示が入力された場合、指定指示を部品管理サーバ２０に送信する。この指定指示には、担当者によって指定された部品番号に関するデータを含む。
【００４２】
部品管理サーバ２０の管理コンピュータ２１は、ネットワークを介して、最上位部品番号の指定指示を受信する（ステップＳ１−１）。そして、管理コンピュータ２１は、指定された部品識別子に基づいて部品情報を取得する（ステップＳ１−２）。具体的には、管理コンピュータ２１は、メカ部品情報マスタ記憶部２６から、指定指示に含まれる部品番号に基づいてメカ部品情報マスタデータ２６０を抽出する。
【００４３】
そして、管理コンピュータ２１は、この部品が禁止部品かどうかを確認する（ステップＳ１−３）。具体的には、この部品のメカ部品情報マスタデータ２６０のステータスフラ
グを読み込み、このステータスフラグに基づいて判定する。
【００４４】
そして、ステータスフラグとして「禁止」フラグが記録されており、この部品が禁止部品に該当する場合（ステップＳ１−３においてＹＥＳの場合）、管理コンピュータ２１は、この部品について警告表示を付加する（ステップＳ１−４）。具体的には、「禁止」を警告色（例えば赤色）で表示するためのデータを生成するともに、コメント、代替品情報を、この部品に関連付けて表示するためのデータを生成する。一方、この部品が禁止部品に該当しない場合（ステップＳ１−３においてＮＯの場合）、この警告表示処理はスキップされる。この場合において、ステータスフラグ、コメント、参照情報を表示するためのデータを生成する。
【００４５】
次に、管理コンピュータ２１は、この部品の部品識別子に基づいて部品構成データ２３０を検索する（ステップＳ１−５）。具体的には、管理コンピュータ２１は、この部品の部品識別子が親部品識別子として登録されている部品構成データを、部品構成データ記憶部２３において検索を行なう。そして、この部品の構成部品に関する情報の有無を確認する。
【００４６】
この部品の識別子を親部品識別子とする部品構成データ２３０が部品構成データ記憶部２３に記録されており、この部品の構成部品に関する情報がある場合（ステップＳ１−６においてＹＥＳの場合）、管理コンピュータ２１は、構成部品の備品情報を取得する属性特定処理を実行する（ステップＳ１−７）。具体的には、まず、管理コンピュータ２１は、特定した部品構成データ２３０に記録された子部品識別子に基づいて構成部品を特定する。そして、管理コンピュータ２１は、メカ部品情報マスタ記憶部２６から、指定指示に含まれる部品番号に基づいてメカ部品情報マスタデータ２６０を抽出する。以下同様に、ステップＳ１−３〜６を繰り返す。
【００４７】
このようにして、指定された最上位部品より、順次、下位部品の情報を抽出し、更に下位の構成部品情報の抽出ができなくなった場合（ステップＳ１−６においてＮＯの場合）、部品確認処理を終了する。そして、最上位部品番から特定された下位部品は、図４に示す階層化構造図２００により表示される。階層化構造図２００には、抽出したステータス、コメントや代替品情報が表示される。
【００４８】
設計担当者は、確認された部品を用いて新たな設計を行なう。新たな設計を行なった場合には、名称マスタ記憶部２５に登録された名称を用いて部品名称を決定する。そして、部品管理サーバ２０から、部品識別子の付与を受け、この部品識別子と部品名称とを関連付けた部品識別子データ２２０を部品識別子データ記憶部２２に記録する。そして、この設計において用いる部品の部品識別子を、付与された部品識別子の子部品識別子として、部品構成データ記憶部２３に登録する。更に、これらの部品を用いた図面を図面データベース記憶部２４に登録する。
【００４９】
（認定審査処理）
次に、図９を用いて、認定審査処理を説明する。
まず、管理コンピュータ２１は、登録部品情報の登録日を取得する（ステップＳ２−１）。本実施形態では、管理コンピュータ２１は、部品識別子データ記憶部２２に記録された部品識別子データ２２０から登録日時に関するデータを抽出する。
【００５０】
そして、管理コンピュータ２１は、前回チェック日時と登録日時とを比較する（ステップＳ２−２）。具体的には、管理コンピュータ２１内に記録された前回チェック日時を取得し、この前回チェック日時と、部品識別子データ２２０に記録された登録日時とを比較する。登録日時が前回チェック日時より後の場合（ステップＳ２−２において「ＹＥＳ」
の場合）、管理コンピュータ２１は、新規登録部品の名称と名称マスタ記憶部２５に記録された名称とを比較する（ステップＳ２−３）。
【００５１】
そして、管理コンピュータ２１は、審査対象部品に該当するかどうかを判定する（ステップＳ２−４）。ここでは、名称マスタ記憶部２５において、新規登録部品の名称に対して審査対象フラグの有無により判定する。審査対象フラグが付与された名称である場合（ステップＳ２−４において「ＹＥＳ」の場合）、管理コンピュータ２１は、メカ部品情報マスタデータ２６０を生成し、メカ部品情報マスタ記憶部２６に登録する（ステップＳ２−５）。この段階では、新規に登録された部品識別子データ２２０の部品識別子、名称を含むメカ部品情報マスタデータ２６０を生成する。この場合、ステータスフラグデータ領域には「未審査」フラグデータを記録する。また、コメントデータ領域、代替品情報データ領域は空欄とする。
【００５２】
そして、管理コンピュータ２１は、定期的にメカ部品情報マスタ記憶部２６に登録されたメカ部品情報マスタデータ２６０を監視する。ここで、「未審査」フラグの付されたメカ部品情報マスタデータ２６０が登録されている場合には、管理コンピュータ２１は、認定審査担当者用端末３０に通知を行なう。この通知には、部品識別子に関するデータを含める。
【００５３】
この通知を受けた設計担当者は、認定審査担当者用端末３０を用いて、この部品識別子の図面管理データ２４０を図面データベース記憶部２４から取得し、設計内容を審査する。そして、認定結果をメカ部品情報マスタデータ２６０のステータスフラグ、コメント、代替品情報の各データ領域に記録する。
【００５４】
（リリースチェック処理）
次に、図１０を用いて、リリースチェック処理を説明する。ここでは、設計担当者や認定審査担当者が、設計図面のリリースを行なう場合、各担当者用端末（１０、３０）にリリース要求を入力する。以下の処理は、基本的に部品確認処理と同様に行なわれる。
【００５５】
設計担当者がリリース要求を行なう場合、設計図面のリリースを行なう最上位部品番号を、設計担当者用端末１０に入力する。そして、リリース要求が入力された場合、指定指示を部品管理サーバ２０に送信する。このリリース要求には、担当者によって指定された部品番号に関するデータを含む。
【００５６】
部品管理サーバ２０の管理コンピュータ２１は、設計担当者用端末１０から最上位部品番号のリリース要求を受信する（ステップＳ３−１）。この指定指示は、設計担当者が指定した最上位部品番号を含み、ネットワークを介して管理コンピュータ２１が受信する。そして、管理コンピュータ２１は、指定された部品識別子に基づいて部品情報を取得する（ステップＳ３−２）。具体的には、管理コンピュータ２１は、メカ部品情報マスタ記憶部２６から、指定指示に含まれる部品番号に基づいてメカ部品情報マスタデータ２６０を抽出する。
【００５７】
そして、管理コンピュータ２１は、この部品が禁止部品かどうかを確認する（ステップＳ３−３）。具体的には、この部品のメカ部品情報マスタデータ２６０のステータスフラグを読み込み、このステータスフラグに基づいて判定する。
【００５８】
そして、ステータスフラグとして「禁止」フラグが記録されており、この部品が禁止部品に該当する場合（ステップＳ３−３においてＹＥＳの場合）、管理コンピュータ２１は、リリース禁止処理を実行する（ステップＳ３−４）。この場合、管理コンピュータ２１は、部品識別子データ記憶部２２を用いて、この部品の作成者を特定し、この作成者に禁
止部品が含まれていることを通知するとともに、リリースチェック処理を終了する。
【００５９】
一方、この部品が禁止部品に該当しない場合（ステップＳ３−３においてＮＯの場合）、管理コンピュータ２１は、この部品の部品識別子に基づいて部品構成データ２３０を検索する（ステップＳ３−５）。具体的には、管理コンピュータ２１は、この部品の部品識別子が親部品識別子として登録されている部品構成データ２３０を、部品構成データ記憶部２３において検索を行なう。そして、この部品の構成部品に関する情報の有無を確認する。
【００６０】
この部品の識別子を親部品識別子とする部品構成データ２３０が部品構成データ記憶部２３に記録されており、この部品の構成部品に関する情報がある場合（ステップＳ３−６においてＹＥＳの場合）、管理コンピュータ２１は、構成部品の部品情報を取得する（ステップＳ３−７）。具体的には、まず、管理コンピュータ２１は、特定した部品構成データ２３０に記録された子部品識別子に基づいて構成部品を特定する。そして、管理コンピュータ２１は、メカ部品情報マスタ記憶部２６から、指定指示に含まれる部品番号に基づいてメカ部品情報マスタデータ２６０を抽出する。以下同様に、ステップＳ３−３〜６を繰り返す。
【００６１】
このようにして、指定された最上位部品より、順次、下位部品の情報を抽出し、更に下位の構成部品に関する情報を部品構成データ記憶部２３から抽出できなくなった場合（ステップＳ３−６においてＮＯの場合）、部品確認処理を終了する。
【００６２】
以上、本実施形態によれば、以下に示す効果を得ることができる。
・  上記実施形態では、部品管理サーバ２０は、部品識別子データ記憶部２２、部品構成データ記憶部２３、図面データベース記憶部２４、名称マスタ記憶部２５及びメカ部品情報マスタ記憶部２６を備える。そして、設計担当者が、設計担当者用端末１０の検索画面を用いて、所望の部品を検索することができる。このため、設計担当者は、設計時に部品選定のための適切な部品情報を入手することができる。従って、過去の設計を利用して、効率的に新たな設計を行なうことができる。
【００６３】
・  上記実施形態では、部品構成データ記憶部２３には、各構成要素の関係を管理するための部品構成データ２３０が格納されている。この部品構成データ２３０は、上位の要素識別子としての親部品識別子、下位の要素識別子としての子部品識別子に関するデータを含んで構成される。このため、部品の構成を表示させることにより、設計担当者は製品の設計において使用する部品情報を一元的に把握することができる。従って、部品集約情報を設計者に提供することができる。
【００６４】
・  上記実施形態では、ステータスフラグとして「禁止」フラグが記録されており、この部品が禁止部品に該当する場合、管理コンピュータ２１は、この部品について警告表示を付加する。このため、製品に使用できない部品は赤く表示され、構成内に禁止部品が含まれていることを注意喚起することができる。
【００６５】
・  上記実施形態では、名称マスタ記憶部２５には、設計する部品の名称に関する名称データ２５０が格納されている。この名称データ２５０では、名称と審査対象フラグに関するデータが相互に関連付けられて記録されている。そして、新規登録部品の名称が、審査対象フラグが付与された名称である場合、管理コンピュータ２１は、「未審査」フラグデータを付与したメカ部品情報マスタデータ２６０をメカ部品情報マスタ記憶部２６に登録する。そして、「未審査」フラグの付されたメカ部品情報マスタデータ２６０が登録されている場合には、管理コンピュータ２１は、認定審査担当者用端末３０に通知を行なう。設計する部品の名称により、認定審査対象を特定するため、審査対象を絞り込み、効率
的に審査を行なうことができる。また、認定審査対象部品のみのメカ部品情報マスタデータ２６０が記録されるため、記憶容量を軽減することができる。
【００６６】
更に、新規に設計された部品が、認定対象の分類に含まれる品種である場合、審査対象の部品が登録された旨の情報が認定審査担当者に通知する。認定審査担当者は、部品の設計内容を精査し、部品ステータスを設定するとともに、設計者に必要なアクション（設計可、代替品使用）の提案を行なうことができる。そして、設計担当者は、認定審査担当者からの提案に基づき、新規設計や代替品の使用を行なうことにより、量産段階に向けた認定部品の使用推進を図ることができる。
【００６７】
・  上記実施形態では、リリースを行なう場合、設計担当者用端末１０にリリース要求を入力する。この場合、リリースチェック処理が実行される。製造工程に設計情報をリリース際に、部品構成表に禁止部品が含まれていた場合は、リリース処理を禁止することができる。これにより、設計ルールに反した、製品の製造を抑制することができる。
【００６８】
なお、上記実施形態は、以下の態様に変更してもよい。
○  上記実施形態では、製品の設計時に、最上位部品番号が特定された場合に、部品確認処理を実行し、ステップＳ１−３〜７の繰り返しにより、使用できない部品の特定を行なった。これに代えて、所定の部品のステータスフラグが変更された場合に、この部品に関連する他の部品のステータスフラグを変更してもよい。具体的には、特定の部品のステータスフラグとして「禁止」フラグが記録された場合、管理コンピュータ２１は、部品構成データ記憶部２３から、この部品の識別子を含む部品構成データ２３０を特定する。そして、管理コンピュータ２１は、抽出した部品構成データ２３０に含まれる他の部品識別子に関するメカ部品情報マスタデータ２６０を特定又は新たに生成し、メカ部品情報マスタ記憶部２６に記録する。この場合、ステータスフラグとして「禁止」フラグを記録し、コメントとして使用禁止になった部品識別子に関する情報を記録する。これにより、部品確認時の処理負荷を軽減することができる。
【図面の簡単な説明】
【００６９】
【図１】本発明の一実施形態のシステムの概略図。
【図２】部品識別子データ記憶部に記録されたデータの説明図。
【図３】部品構成データ記憶部に記録されたデータの説明図。
【図４】階層構成の説明図。
【図５】名称マスタ記憶部に記録されたデータの説明図。
【図６】図面データベース記憶部に記録されたデータの説明図。
【図７】メカ部品情報マスタ記憶部に記録されたデータの説明図。
【図８】本発明の一実施形態の処理手順の説明図。
【図９】本発明の一実施形態の処理手順の説明図。
【図１０】本発明の一実施形態の処理手順の説明図。
【符号の説明】
【００７０】
１０…設計担当者端末、２０…部品管理サーバ、２１…管理コンピュータ、２２…部品識別子データ記憶部、２３…部品構成データ記憶部、２５…名称マスタ記憶部、２４…図面データベース記憶部、２６…メカ部品情報マスタ記憶部、３０…認定審査担当者用端末。
【図１】
2006235834.tif 000003
【図２】
2006235834.tif 000004
【図３】
2006235834.tif 000005
【図４】
2006235834.tif 000006
【図５】
2006235834.tif 000007
【図６】
2006235834.tif 000008
【図７】
2006235834.tif 000009
【図８】
2006235834.tif 000010
【図９】
2006235834.tif 000011
【図１０】
2006235834.tif 000012